(57)【要約】【課題】天井板にムクリを形成し、さらにそのムクリの調整ができ、天井面の外観を容易に向上させる。【解決手段】天井形成用空間１の両側壁に複数の天井板２の各一端部２ａを固定し、天井形成用空間１の中間部に両方の天井板２の各他端部２ｂをそれぞれ高さ調整可能に取り付け、天井板端部取付け部Ｃと中央の天井板端部取付け部Ｂとの中間位置に設けた高さ調整可能な天井板中央取付け部Ａに両方の天井板２の各中央部をそれぞれ取り付ける。天井板中央取付け部Ａの高さ調整によって天井板２の中央部がその両端部２ａ，２ｂよりも高くなるように天井板２を上方に湾曲させてムクリを形成する。その後、中央の天井板端部取付け部Ｂの高さ調整によって天井板２の他端部２ｂがその中央部よりも高くなるように天井板２を更に湾曲させてムクリを調整する。【選択図】        図１
2004150034.tif 000002
【特許請求の範囲】
【請求項１】
天井形成用空間の一側壁に設けた一方の天井板端部取付け部に天井板の一端部を固定し、天井形成用空間の上記一側壁と対向する他側壁に設けた他方の天井板端部取付け部に別の天井板の一端部を固定し、天井形成用空間の中間部に設けた中央の天井板端部取付け部に両方の天井板の各他端部をそれぞれ高さ調整可能に取り付け、一方の天井板端部取付け部と中央の天井板端部取付け部との中間位置及び他方の天井板端部取付け部と中央の天井板端部取付け部との中間位置に設けた高さ調整可能な天井板中央取付け部に両方の天井板の各中央部をそれぞれ取り付け、上記天井板中央取付け部の高さ調整によって天井板の中央部がその両端部よりも高くなるように天井板を上方に湾曲させてムクリを形成し、その後、上記中央の天井板端部取付け部の高さ調整によって天井板の他端部がその中央部よりも高くなるように天井板を更に湾曲させてムクリを調整することを特徴とする天井板の高さ調整方法。
【請求項２】
一側壁に天井板の一端部を固定するための一方の天井板端部取付け部、他側壁に天井板の他端部を固定するための他方の天井板端部取付け部がそれぞれ設けられた天井形成用空間の中間部に、両方の天井板の各他端部をそれぞれ高さ調整可能に取り付けるための中央の天井板端部取付け部が設けられ、一方の天井板端部取付け部と中央の天井板端部取付け部との中間位置及び他方の天井板端部取付け部と中央の天井板端部取付け部との中間位置に、両方の天井板の各中央部を高さ調整可能に取り付けるための天井板中央取付け部がそれぞれ設けられた天井板の高さ調整装置であって、上記中央の天井板端部取付け部は、梁の下部に固定される梁下金物からなり、この梁下金物は、梁に固定される梁下金物本体と、梁下金物本体に高さ調整可能に取り付けられるＵ字状をした高さ調整部材とからなり、高さ調整部材の左右両側面には天井板を支持する野縁の他端部を支持するための野縁ランナーがそれぞれ設けられ、高さ調整部材の内側には梁下金物本体に螺合される調整用ボルトが挿通するボルト取付片が突設され、高さ調整部材の底面には梁下金物の外部下方から調整用ボルトを回転操作してムクリを調整するためのムクリ調整用開口部が設けられていることを特徴とする天井板の高さ調整装置。
【請求項３】
一方の天井板端部取付け部と中央の天井板端部取付け部との中間位置及び他方の天井板端部取付け部と中央の天井板端部取付け部との中間位置には、両方の天井板の中央部を高さ調整可能に取り付けるための天井板中央取付け部がそれぞれ設けられ、この天井板中央取付け部は、吊木受けに固定される吊金具からなり、この吊金具は、天井板を支持する野縁を吊り下げ支持するためのＵ字状の野縁吊下げ部と、吊木受けに高さ調整可能に取り付けられたムクリ形成用の高さ調整取付け部とが一体に設けられていることを特徴とする請求項２記載の天井板の高さ調整装置。
【発明の詳細な説明】
【０００１】
【発明の属する技術分野】
本発明は、天井板の高さ調整方法及び高さ調整装置に関し、詳しくは天井板にムクリを形成し、さらに形成されたムクリを調整する技術に関するものである。
【０００２】
【従来の技術】
従来、図９（ａ）に示すように、天井形成用空間１のスパンが大きい場合は、天井形成用空間１の一側壁１ａに設けた一方の天井板端部取付け部Ｃ（例えば壁際の梁４ａ）に天井板２の一端部２ａを固定し、天井形成用空間１の上記一側壁１ａと対向する他側壁１ｂに設けた他方の天井板端部取付け部Ｃ（例えば壁際の梁４ａ）に別の天井板２の一端部２ａを固定し、天井形成用空間１の中間部に設けた中央の天井板端部取付け部Ｂ（例えば中央の梁４）に両方の天井板２の各他端部２ｂをそれぞれ固定している。このとき、両方の天井板２が平坦であるにもかかわらず、室内から見たときに天井板２の中央部分が垂れ下がって見える現象をなくす（ムクリを設ける）ために、天井板端部取付け部Ｂ，Ｃの中間位置Ａをそれぞれ上方に持ち上げて、図９（ｂ）に示すように、天井板２の中央部を両端部２ａ，２ｂよりもそれぞれｈ１だけ高いＡ’の高さまで上昇させて天井板２を湾曲させるようにしている（例えば、特許文献１参照）。
【０００３】
【特許文献１】
特開２００１−９８６９２号公報
【０００４】
【発明が解決しようとする課題】
しかしながら、従来では図９（ｂ）に示すように、両方の天井板２の両端部２ａ，２ｂが同じ高さ位置に固定されており、且つ両方の天井板２の中央部が両端部２ａ，２ｂよりもそれぞれ高くなっているため、天井形成用空間１の中間部において天井板２の他端部２ｂの部分が下方に垂れ下がり、そのために天井面の外観が低下するといった問題があった。しかも従来では、天井板２の他端部２ｂは梁４に固定されており、そのために天井板２全体のムクリを調整できないという問題があった。
【０００５】
本発明は、上記の従来例の問題点に鑑みて発明したものであって、その目的とするところは、天井板にムクリを形成し、さらにそのムクリの調整ができ、天井面の外観を容易に向上させることができる天井板の高さ調整方法及び高さ調整装置を提供するにある。
【０００６】
【課題を解決するための手段】
上記課題を解決するために請求項１記載の発明にあっては、天井形成用空間１の一側壁１ａに設けた一方の天井板端部取付け部Ｃに天井板２の一端部２ａを固定し、天井形成用空間１の上記一側壁１ａと対向する他側壁１ｂに設けた他方の天井板端部取付け部Ｃに別の天井板２の一端部２ａを固定し、天井形成用空間１の中間部に設けた中央の天井板端部取付け部Ｂに両方の天井板２の各他端部２ｂをそれぞれ高さ調整可能に取り付け、一方の天井板端部取付け部Ｃと中央の天井板端部取付け部Ｂとの中間位置及び他方の天井板端部取付け部Ｃと中央の天井板端部取付け部Ｂとの中間位置に設けた高さ調整可能な天井板中央取付け部Ａに両方の天井板２の各中央部をそれぞれ取り付け、上記天井板中央取付け部Ａの高さ調整によって天井板２の中央部がその両端部２ａ，２ｂよりも高くなるように天井板２を上方に湾曲させてムクリを形成し、その後、上記中央の天井板端部取付け部Ｂの高さ調整によって天井板２の他端部２ｂがその中央部よりも高くなるように天井板２を更に湾曲させてムクリを調整することを特徴としており、このように構成することで、天井板中央取付け部Ａの高さ調整と中央の天井板端部取付け部Ｂの高さ調整とを順次行うことによって、天井板２にムクリを形成でき、さらにその形成したムクリを調整できるようになる。
【０００７】
また請求項２記載の発明にあっては、一側壁１ａに天井板２の一端部２ａを固定するための一方の天井板端部取付け部Ｃ、他側壁１ｂに天井板２の他端部２ｂを固定するための他方の天井板端部取付け部Ｃがそれぞれ設けられた天井形成用空間１の中間部に、両方の天井板２の各他端部２ｂをそれぞれ高さ調整可能に取り付けるための中央の天井板端部取付け部Ｂが設けられ、一方の天井板端部取付け部Ｃと中央の天井板端部取付け部Ｂとの中間位置及び他方の天井板端部取付け部Ｃと中央の天井板端部取付け部Ｂとの中間位置に、両方の天井板２の各中央部を高さ調整可能に取り付けるための天井板中央取付け部Ａがそれぞれ設けられた天井板の高さ調整装置であって、上記中央の天井板端部取付け部Ｂは、梁４の下部に固定される梁下金物５からなり、この梁下金物５は、梁４に固定される梁下金物本体６と、梁下金物本体６に高さ調整可能に取り付けられるＵ字状をした高さ調整部材７とからなり、高さ調整部材７の左右両側面には天井板２を支持する野縁３の端部を支持するための野縁ランナー８がそれぞれ設けられ、高さ調整部材７の内側には梁下金物本体６に螺合される調整用ボルト９が挿通するボルト取付片１０が突設され、高さ調整部材７の底面７ａには梁下金物５の外部下方から調整用ボルト９を回転操作できるムクリ調整用開口部１１が設けられていることを特徴としており、このように構成することで、ムクリ調整用開口部１１を利用して高さ調整部材７の内側の調整用ボルト９を回転操作できるので、ムクリ調整作業をきわめて容易に行うことができるものであり、そのうえ調整用ボルト９の回転操作だけで最適な高さ位置まで天井板２の他端部２ｂを上昇させることができる。
【０００８】
また請求項３記載にあっては、請求項２において、一方の天井板端部取付け部Ｃと中央の天井板端部取付け部Ｂとの中間位置及び他方の天井板端部取付け部Ｃと中央の天井板端部取付け部Ｂとの中間位置には、両方の天井板２の各中央部を高さ調整可能に取り付けるための天井板中央取付け部Ａがそれぞれ設けられ、この天井板中央取付け部Ａは、吊木受け１２に固定される吊金具１３からなり、この吊金具１３は、天井板２を支持する野縁３を吊り下げ支持するためのＵ字状の野縁吊下げ部１４と、吊木受け１２に高さ調整可能に取り付けられたムクリ形成用の高さ調整取付け部１５とが一体に設けられていることを特徴とするのが好ましく、この場合、吊木受け１２に高さ調整取付け部１５を取り付ける際に高さ調整取付け部１５の取り付け高さを変えるだけでムクリを容易に形成できるようになる。
【０００９】
【発明の実施の形態】
以下、本発明を添付図面に示す実施形態に基づいて説明する。
【００１０】
図１は天井板２の施工状態の一例を示す側面図であり、図２（ａ）は天井形成用空間１の概略平面図であり、図２（ｂ）は天井板２の概略側面図であり、図２（ｃ）は天井面にムクリを設けた場合を説明する概略側面図であり、図２（ｄ）はムクリを調整した後の概略側面図である。
【００１１】
本実施形態の天井形成用空間１は、複数の天井板２を並設できる大きなスパンを有している。この天井形成用空間１の一側壁１ａには、図２（ａ）に示すように、天井板２を支持する野縁３の一端部（天井板の一端部２ａ）を固定するための一方の天井板端部取付け部Ｃが設けられ、天井形成用空間１の上記一側壁１ａと対向する他側壁１ｂには別の天井板２を支持する野縁３の一端部（天井板の一端部２ａ）を固定するための他方の天井板端部取付け部Ｃが設けられている。なお天井板２は石膏ボードで構成され、野縁３は断面ロ字状の鋼管で構成されているが、もちろん天井板２及び野縁３の材質はこれらに限定されるものではない。
【００１２】
上記天井板２の高さ調整装置は、天井形成用空間１の中間部に設けられた中央の天井板端部取付け部Ｂと、一方の天井板端部取付け部Ｃと中央の天井板端部取付け部Ｂとの中間位置及び他方の天井板端部取付け部Ｃと中央の天井板端部取付け部Ｂとの中間位置に設けられた天井板中央取付け部Ａとを備えている。
【００１３】
ここで、上記一方の天井板端部取付け部Ｃ及び他方の天井板端部取付け部Ｃは、それぞれ、図７、図８に示すように、壁際の梁４ａに固定される外壁用クリップ１６にて構成されている。壁際においては、後述する吊金具１３（図５）を使用できないため、外壁用クリップ１６が用いられる。この外壁用クリップ１６の下部には、野縁３の一端部が挿入されて支持される野縁ランナー８ａがビス１７にて固定されている。外壁用クリップ１６の上部には、梁４ａの下部フランジ４ｂに差し込まれる上下一対の差し込み片４ｃが設けられており、差し込み片４ｃを下部フランジ４ｂに差し込み、さらに野縁３の一端部を野縁ランナー８ａに嵌め込むことによって、野縁３の端部を梁４ａに対して固定できるようになっている。なお図７中の３０はがたつき防止用の突起である。なお本例では野縁３の一端部を梁４ａに固定した場合を説明したが、これに限らず、例えば外壁の上端部或いは間仕切り壁の上端部に固定してもよいものであり、壁際における野縁３の取り付け方法は適宜設計変更自在である。
【００１４】
また、上記中央の天井板端部取付け部Ｂは、図３に示すように、梁４に固定される梁下金物５からなる。この梁下金物５は、野縁３の他端部（天井板の他端部２ｂ）を梁４に固定する機能に加えて、天井板２の他端部２ｂがその中央部及び一端部よりも高くなるように天井板２を更に湾曲させてムクリを調整する機能を併せ持っている。本例の梁下金物５は、梁４の下部フランジ４ｂに固定される梁下金物本体６と、梁下金物本体６に高さ調整可能に取り付けられるＵ字状をした金属製の高さ調整部材７とで構成されている。梁下金物本体６は、断面略Ｕ字状の鋼管からなり、その左右両側の上端部には、それぞれ、左右一対の差し込み部１８が設けられている。本例では、図３、図４に示すように、左右一対の差し込み部１８は、それぞれ、前後方向にずれた上下一対の挟持片１８ａ，１８ｂからなり、梁４の下部フランジ４ｂの両片をそれぞれ挟持できるようにしている。各挟持片１８ａ，１８ｂの内面には防振ゴム１９がそれぞれ貼着されている。また梁下金物本体６の底面の複数箇所には後述の調整用ボルト９が螺合するボルト螺合孔３１が形成されている。
【００１５】
また、上記梁下金物本体６の下部に装着される高さ調整部材７は、図３に示すように、上方に開口した断面略Ｕ字状の鋼管からなり、その左右両側面には野縁３の他端部を支持するための野縁ランナー８がビス２０によりそれぞれ取り付けられている。野縁ランナー８は、略コ字状に形成され、その上横片８ｂが下方に向けて略く字状に屈曲しており、この上横片８ｂにて野縁３の上面を上から押さえ付けて保持できるようになっている。高さ調整部材７の内側には、高さ調整部材７の底面７ａから上方に離して左右一対のボルト取付片１０が水平に突設されている。各ボルト取付片１０には、上記梁下金物本体６のボルト螺合孔３１に螺合される調整用ボルト９が挿通しており、調整用ボルト９の頭部９ａがボルト取付片１０の下方に向けて配置されている。また、高さ調整部材７の底面７ａにはボルト取付片１０の下方に対向する位置に、それぞれ、ムクリ調整用開口部１１が形成されている。各ムクリ調整用開口部１１は上下方向に開口しており、梁下金物５の外部下方からムクリ調整用開口部１１にドライバーなどの工具を挿入して調整用ボルト９を回転操作することにより天井板２の高さ調整（ムクリ調整）を行うものである。
【００１６】
一方、天井板中央取付け部Ａは、図５、図６に示すように、吊木受け１２に高さ調整可能にビス固定される吊金具１３により構成されている。この吊金具１３は、野縁３の中央部を吊木受け１２に吊り下げ支持する機能に加えて、天井板２の中央部がその両端部２ａ，２ｂよりも高くなるように天井板２を上方に湾曲させてムクリを形成する機能を併せ持っている。本例の吊金具１３は、野縁３を吊り下げ支持するための略Ｕ字状の野縁吊下げ部１４と、吊木受け１２に対してビス固定される高さ調整取付け部１５とが一体形成されている。野縁吊下げ部１４は金属材を折り曲げ加工したものであり、吊木受け１２に対するビス固定位置を上下方向にずらすことによって吊金具１３の高さ調整が行われる。また、野縁吊下げ部１４の上部には横方向に向けて開口した切り込み溝２２が形成されており、切り込み溝２２にＬ形の止め材２３が嵌合されている。この止め材２３は、野縁３を野縁吊下げ部１４内部に固定する機能に加えて、野縁３の浮き上がりを防止する機能も有している。また止め材２３は長尺に形成されており、隣り合う野縁３の吊金具１３間に架け渡されて吊金具１３の継ぎ材としての機能も有している。
【００１７】
しかして、天井形成用空間１に天井板２を施工するにあたっては、天井形成用空間１の一側壁１ａに設けられる外壁用クリップ１６に天井板２の野縁３の一端部を取り付け、他側壁１ｂに設けられる外壁用クリップ１６に別の天井板２の野縁３の一端部を取り付け、梁下金物５に設けた左右の野縁ランナー８に両方の野縁３の各他端部をそれぞれ挿入する。さらに、野縁３の中央部に吊金具１３を取り付ける。このとき吊金具１３をビス２１（図５）により吊木受け１２に取り付ける前の段階で、ムクリを形成する。本例では吊金具１３の取り付け高さを変えることにより、図２（ｂ）に示す状態から同（ｃ）に示す状態とすることができる。つまり、天井板２の中央部Ａがその両端部２ａ，２ｂよりもそれぞれｈ１だけ高くなってＡ’の高さまで上昇させることで両方の天井板２が上方にそれぞれ湾曲した状態となり、この状態で吊金具１３を吊木受け１２に対してビス固定する。これにより天井板２が平坦であるにもかかわらず、室内から見たときに天井板２の中央部分が垂れ下がって見える現象をなくす（ムクリを設ける）ことができる。なお野縁３を吊金具１３に取り付けた後には野縁吊下げ部１４の切り込み溝２２に止め材２３を金槌等で嵌入して、野縁３を吊金具１３に対して固定しておく。
【００１８】
その後、梁下金物５を上昇させてムクリ調整を行う。本例では、梁下金物５の外部下方から高さ調整部材７のムクリ調整用開口部１１（図３）にドライバーを挿入して、高さ調整部材７の内側の調整用ボルト９を回転操作して、天井板２の他端部２ｂがその中央部よりも更に高くなるように、高さ調整部材７を梁下金物本体６に対して上昇させて、図２（ｃ）に示す状態から同（ｄ）に示すようにＢ→Ｂ’とする。これにより両方の天井板２の各他端部２ｂが一端部２ａよりもｈ２だけ高くなり、天井板２の他端部２ｂが下方に垂れ下がった状態を修正でき、天井面全体の外観が向上するようにムクリの調整を容易に行うことができる。
【００１９】
また本例では、吊木受け１２に吊金具１３をビス固定する際に吊金具１３の取り付け高さを変えるだけで、ムクリ形成作業をきわめて容易に行うことができると共に、吊金具１３に取り付けた止め材２３によって野縁３の浮き上がりを防止しているので、天井板２を野縁３に取り付ける時に野縁３が上方に逃げるようなことがなく、天井板２の取り付け作業が速やかに行えるものである。
【００２０】
また、ムクリ調整用開口部１１を利用して高さ調整部材７の内側の調整用ボルト９を回転操作できるので、ムクリ調整作業をきわめて容易に行うことができると共に、調整用ボルト９の回転操作だけで最適な高さ位置まで天井板２の他端部２ｂを上昇させることができるので、高さ調整作業が一層はかどるという利点がある。
【００２１】
しかも、梁下金物本体６に設けられる上下一対の挟持片１８ａ，１８ｂは、梁４の下部フランジ４ｂの前後２箇所を挟持しているので、バランス良く挟持できるものであり、また防振ゴム１９を介在させることで、防振性も良くなる。さらに、天井板２の中央部が吊金具１３を介して吊木受け１２に支持され、天井板２の他端部２ｂは梁下金物５を介して梁４に支持されるため、施工後は天井板２の重量や振動等に対して強くなり、また野縁３が吊金具１３から外れたり、浮き上がることもないので、施工後に天井板２にがたつきが発生したり、浮き上がったり、垂れ下がったりするといった問題もなく、振動に対してより強い構造とすることができ、施工の信頼性を飛躍的に向上させることができるものである。
【００２２】
前記実施形態では、天井形成用空間１のスパンを２本の野縁３を直列に配置できる寸法としたが、もちろんこれに限定されるものではなく、例えば３本以上の野縁３を直列に配置できる寸法としてもよいものであり、この場合においても、隣り合う天井板２の突き合わせ側の端部を本発明の梁下金物５を用いて高さ調整可能に取り付けるようにすればよいものである。
【００２３】
【発明の効果】
上述のように請求項１記載の発明に係る天井板の高さ調整方法は、天井形成用空間の一側壁に設けた一方の天井板端部取付け部に天井板の一端部を固定し、天井形成用空間の上記一側壁と対向する他側壁に設けた他方の天井板端部取付け部に別の天井板の一端部を固定し、天井形成用空間の中間部に設けた中央の天井板端部取付け部に両方の天井板の各他端部をそれぞれ高さ調整可能に取り付け、一方の天井板端部取付け部と中央の天井板端部取付け部との中間位置及び他方の天井板端部取付け部と中央の天井板端部取付け部との中間位置に設けた高さ調整可能な天井板中央取付け部に両方の天井板の各中央部をそれぞれ取り付け、上記天井板中央取付け部の高さ調整によって天井板の中央部がその両端部よりも高くなるように天井板を上方に湾曲させてムクリを形成し、その後、上記中央の天井板端部取付け部の高さ調整によって天井板の他端部がその中央部よりも高くなるように天井板を更に湾曲させてムクリを調整することを特徴とする。
【００２４】
また請求項２記載の発明に係る天井板の高さ調整装置は、一側壁に天井板の一端部を固定するための一方の天井板端部取付け部、他側壁に天井板の他端部を固定するための他方の天井板端部取付け部がそれぞれ設けられた天井形成用空間の中間部に、両方の天井板の各他端部をそれぞれ高さ調整可能に取り付けるための中央の天井板端部取付け部が設けられ、一方の天井板端部取付け部と中央の天井板端部取付け部との中間位置及び他方の天井板端部取付け部と中央の天井板端部取付け部との中間位置に、両方の天井板の各中央部を高さ調整可能に取り付けるための天井板中央取付け部がそれぞれ設けられた天井板の高さ調整装置であって、上記中央の天井板端部取付け部は、梁の下部に固定される梁下金物からなり、この梁下金物は、梁に固定される梁下金物本体と、梁下金物本体に高さ調整可能に取り付けられるＵ字状をした高さ調整部材とからなり、高さ調整部材の左右両側面には天井板を支持する野縁の端部を支持するための野縁ランナーがそれぞれ設けられ、高さ調整部材の内側には梁下金物本体に螺合される調整用ボルトが挿通するボルト取付片が突設され、高さ調整部材の底面には梁下金物の外部下方から調整用ボルトを回転操作できるムクリ調整用開口部が設けられていることを特徴とする。
【００２５】
このような請求項１の方法、請求項２の装置を採用することで、天井板中央取付け部の高さ調整と中央の天井板端部取付け部の高さ調整とを順次行うことによって、天井板にムクリを形成でき、さらにその形成したムクリを調整できるようになるので、従来のように天井形成用空間の中間部において天井板が下方に垂れ下がる現象をなくすことができ、天井面の外観向上を容易に図ることができる。
【００２６】
また請求項２においては、ムクリ調整用開口部を利用して高さ調整部材の内側の調整用ボルトを回転操作できるので、ムクリ調整作業をきわめて容易に行うことができるものであり、そのうえ調整用ボルトの回転操作だけで最適な高さ位置まで天井板の他端部を上昇させることができるので、高さ調整作業が一層はかどるという利点がある。
【００２７】
また請求項３記載の発明は、請求項２記載の効果に加えて、一方の天井板端部取付け部と中央の天井板端部取付け部との中間位置及び他方の天井板端部取付け部と中央の天井板端部取付け部との中間位置には、両方の天井板の各中央部を高さ調整可能に取り付けるための天井板中央取付け部がそれぞれ設けられ、この天井板中央取付け部は、吊木受けに固定される吊金具からなり、この吊金具は、天井板を支持する野縁を吊り下げ支持するためのＵ字状の野縁吊下げ部と、吊木受けに高さ調整可能に取り付けられたムクリ形成用の高さ調整取付け部とが一体に設けられているので、吊木受けに高さ調整取付け部を取り付ける際に高さ調整取付け部の取り付け高さを変えるだけでムクリを形成でき、作業性が一層向上する。
【図面の簡単な説明】
【図１】本発明の実施形態の一例を示す側面図である。
【図２】（ａ）は同上の天井形成用空間の概略平面図、（ｂ）、（ｃ）は天井板にムクリを設ける場合の概略側面図、（ｄ）はムクリを調整する場合の概略側面図である。
【図３】図１のイ部の拡大図である。
【図４】同上の梁下金物本体の斜視図である。
【図５】図１のロ図の拡大図である。
【図６】（ａ）は同上の吊金具の斜視図、（ｂ）は止め材の斜視図である。
【図７】図１のハ部の拡大図である。
【図８】同上の外壁用クリップの斜視図である。
【図９】従来例を示し、（ａ）は天井形成用空間の概略平面図、（ｂ）は天井板にムクリを設ける場合の概略側面図である。
【符号の説明】
１  天井形成用空間
１ａ  一側壁
１ｂ  他側壁
２  天井板
２ａ  一端部
２ｂ  他端部
３  野縁
４  梁
４ｂ  下部フランジ
４ａ  壁の梁
５  梁下金物
６  梁下金物本体
７  高さ調整部材
８  野縁ランナー
９  調整用ボルト
１０  ボルト取付片
１１  ムクリ調整用開口部
１２  吊木受け
１３  吊金具
１４  野縁吊下げ部
１５  高さ調整取付け部
１６  外壁用クリップ
Ａ  天井板中央取付け部
Ｂ，Ｃ  天井板端部取付け部
【図１】
2004150034.tif 000003
【図２】
2004150034.tif 000004
【図３】
2004150034.tif 000005
【図４】
2004150034.tif 000006
【図５】
2004150034.tif 000007
【図６】
2004150034.tif 000008
【図７】
2004150034.tif 000009
【図８】
2004150034.tif 000010
【図９】
2004150034.tif 000011